(57)【要約】【課題】コンペア処理の結果を反映して適切に記録ディスクを管理可能とする。【解決手段】光ディスクドライブ２０によってデータの読み書きを行った時間に係るデータに対応するレーザー光照射累積時間データ１００を記憶すると共に、光ディスクドライブ２０によって記録ディスクにデータを書き込んだ後、記録ディスクから書き込んだデータを読み取り、読み取ったデータと元データとに基づいてコンペア処理を実行し、コンペア処理の結果、及び、レーザー光照射累積時間データ１００に基づいて記録装置３０を制御して記録ディスクへ画像を記録するようにした。【選択図】図３
2011154749.tif 000002
【特許請求の範囲】
【請求項１】
記録媒体にデータを読み書きする記録媒体駆動部と、記録媒体に画像を記録する記録部とを備える記録媒体処理装置を制御する制御装置であって、
前記記録媒体駆動部によってデータの読み書きを行った時間を累積的に記憶する使用時間記憶部と、
前記記録媒体駆動部によって記録媒体にデータを書き込んだ後、当該記録媒体から書き込んだデータを読み取り、読み取ったデータと元データとに基づいてコンペア処理を実行するコンペア処理実行部と、
このコンペア処理実行部によるコンペア処理の結果、及び、前記使用時間記憶部に記憶された時間に基づいて前記記録部を制御して記録媒体へ画像を記録する記録装置制御部と、を備えることを特徴とする制御装置。
【請求項２】
前記記録装置制御部は、
前記コンペア処理実行部によるコンペア処理の結果が異常の場合であり、かつ、
前記使用時間記憶部に記憶された時間が予め設定された閾値を上回る場合、前記記録部を制御して記録媒体にコンペア処理の結果が異常であることに対応した画像を記録することを特徴とする請求項１に記載の制御装置。
【請求項３】
前記コンペア処理実行部によるコンペア処理の結果、及び、前記使用時間記憶部に記憶された時間に基づいて、記録媒体に書き込まれたデータを読み取り不能な状態とする媒体処理部をさらに備えることを特徴とする請求項１又は２に記載の制御装置。
【請求項４】
前記媒体処理部は、
前記コンペア処理実行部によるコンペア処理の結果が異常の場合であり、かつ、前記使用時間記憶部に記憶された時間が閾値を上回る場合、記録媒体に書き込まれたデータを読み取り不能な状態とすることを特徴とする請求項３に記載の制御装置。
【請求項５】
データの書き込みが終了した記録媒体を収納する収納部を複数備えると共に、データの書き込みが終了した記録媒体をいずれかの前記収納部に搬送する搬送部を備え、
前記コンペア処理実行部によるコンペア処理の結果、及び、前記使用時間記憶部に記憶された時間に基づいて、データの書き込みが終了した記録媒体を搬送すべき前記収納部を切り替える収納切替部を備えることを特徴とする請求項１乃至４のいずれかに記載の制御装置。
【請求項６】
請求項１乃至５のいずれかに記載の制御装置を含むことを特徴とする記録媒体処理装置。
【請求項７】
記録媒体にデータを読み書きする記録媒体駆動部と、記録媒体に画像を記録する記録部とを備える記録媒体処理装置を制御して、
前記記録媒体駆動部によってデータの読み書きを行った時間を累積的に記憶すると共に、
前記記録媒体駆動部によって記録媒体にデータを書き込んだ後、当該記録媒体から書き込んだデータを読み取り、読み取ったデータと元データとに基づいてコンペア処理を実行し、
このコンペア処理の結果、及び、記憶した時間に基づいて前記記録部を制御して記録媒体へ画像を記録することを特徴とする記録媒体処理装置の制御方法。
【請求項８】
記録媒体にデータを読み書きする記録媒体駆動部と、記録媒体に画像を記録する記録部とを備える記録媒体処理装置を制御する制御部により実行されるプログラムであって、
前記制御部を、
前記記録媒体駆動部によってデータの読み書きを行った時間を累積的に記憶する使用時間記憶部と、
前記記録媒体駆動部によって記録媒体にデータを書き込んだ後、当該記録媒体から書き込んだデータを読み取り、読み取ったデータと元データとに基づいてコンペア処理を実行するコンペア処理実行部と、
このコンペア処理実行部によるコンペア処理の結果、及び、前記使用時間記憶部に記憶された時間に基づいて前記記録部を制御して記録媒体へ画像を記録する記録装置制御部と、として機能させることを特徴とするプログラム。
【発明の詳細な説明】
【技術分野】
【０００１】
本発明は、記録媒体にデータを読み書きする記録媒体駆動部と、記録媒体に画像を記録する記録部とを備える記録媒体処理装置を制御する制御装置、記録媒体処理装置、当該記録媒体処理装置の制御方法、及び、当該記録媒体処理装置を制御するためのプログラムに関する。
【背景技術】
【０００２】
従来、記録媒体たるディスクのレーベル面に記録部（印刷部）によって画像を記録し、かつ、記録ディスクの記録面に記録媒体駆動部（書き込み部）によってデータを書き込む記録媒体処理装置が知られている（例えば、特許文献１参照）。
この種の記録媒体処理装置では、記録媒体へのデータの書き込みが終了した後、書き込まれたデータと、元データとの整合性を確かめるコンペア処理を行うことにより、記録媒体に書き込まれたデータが正常か否かをチェックするものがある。
【先行技術文献】
【特許文献】
【０００３】
【特許文献１】特開２００９−２６０２５号公報
【発明の概要】
【発明が解決しようとする課題】
【０００４】
上述のようにデータの書き込み後にコンペア処理を実行する記録媒体処理装置では、コンペア処理の結果を反映して適切に記録媒体を管理したいとするニーズがある。
本発明は、上述した事情に鑑みてなされたものであり、コンペア処理の結果を反映して適切に記録ディスクを管理可能な記録媒体処理装置、記録媒体処理装置の制御方法、及び、プログラムを提供することを目的とする。
【課題を解決するための手段】
【０００５】
上記目的を達成するために、本発明は、記録媒体にデータを読み書きする記録媒体駆動部と、記録媒体に画像を記録する記録部とを備える記録媒体処理装置を制御する制御装置であって、前記記録媒体駆動部によってデータの読み書きを行った時間を累積的に記憶する使用時間記憶部と、前記記録媒体駆動部によって記録媒体にデータを書き込んだ後、当該記録媒体から書き込んだデータを読み取り、読み取ったデータと元データとに基づいてコンペア処理を実行するコンペア処理実行部と、このコンペア処理実行部によるコンペア処理の結果、及び、前記使用時間記憶部に記憶された時間に基づいて前記記録部を制御して記録媒体へ画像を記録する記録装置制御部と、を備えることを特徴とする。
ここで、コンペア処理の結果が異常となる場合には、記録媒体へ書き込まれたデータに異常がある場合だけでなく、コンペア処理に際して行われるデータの読み取りが記録媒体と記録媒体駆動部との相性やコンペア処理実行中に発生した振動等の何らかの原因により正常に行われなかったことに起因する場合がある。
さらに、記録媒体駆動部によるデータの読み書きが正常に行われない程度に記録媒体駆動部の経年劣化が進んでいる場合は、記録媒体へ書き込まれたデータに異常があることに起因してコンペア処理の結果が異常となる可能性が高い。一方で、記録媒体駆動部の経年劣化が進んでいない場合は、コンペア処理に際して行われるデータの読み取りが正常に行われなかったことに起因してコンペア処理の結果が異常となった可能性が高く、データの書き込み自体は正常に行われている可能性がある。この場合、記録媒体処理装置によっては、正常にデータを読むことができてしまう場もあり、誤って使用されないように、また、不用意にそのまま捨てるなどするとセキュリティー上問題があるので、不良品として管理または処理することが好ましい。
これを踏まえ、上記構成によれば、コンペア処理の結果、及び、記録媒体駆動部によって記録媒体にデータの読み書きを行った累積的な時間に基づいて記録装置が制御されて記録媒体へ画像が記録されるため、記録媒体駆動部の経年劣化を反映した上でコンペア処理の結果に対応して記録媒体への画像の記録を行うことができ、記録された画像に基づき、記録媒体の適切な管理が可能となる。この場合、記録媒体へ記録する画像は、「ＮＧ」や「Ｘ」など、不良品である旨がわかるようなものが好ましい。
【０００６】
ここで、上記発明の制御装置であって、前記記録装置制御部は、前記コンペア処理実行部によるコンペア処理の結果が異常の場合であり、かつ、前記使用時間記憶部に記憶された時間が閾値を上回る場合、前記記録部を制御して記録媒体にコンペア処理の結果が異常であることに対応した画像を記録するようにしてもよい。
この構成によれば、コンペア処理の結果が異常の場合であって、記録媒体駆動部によりデータの読み書きが行われた時間が予め設定された閾値を上回った場合に、コンペア処理の結果が異常であることに対応した画像が記録媒体に記録されることとなり、記録媒体駆動部が実際に使用された時間に基づく経年劣化を適切に反映した上でコンペア処理の結果に対応した画像の記録を実行できる。
【０００７】
また、上記発明の制御装置であって、前記コンペア処理実行部によるコンペア処理の結果、及び、前記使用時間記憶部に記憶された時間に基づいて、記録媒体に書き込まれたデータを読み取り不能な状態とする媒体処理部をさらに備えるようにしてもよい。
この構成によれば、コンペア処理の結果、及び、記録媒体駆動部によって記録媒体にデータの読み書きを行った時間に基づいて記録媒体に書き込まれたデータを読み取り不能な状態とするか否かが判別され、判別結果に応じて記録媒体に書き込まれたデータが読み取り不能な状態とされるため、記録媒体駆動部の経年劣化を反映した上でコンペア処理の結果に対応して適切に記録媒体のデータを読み取り不能な状態とすることができる。この場合、読み書きに使用するレーザー光を照射して、記録媒体に書き込まれたデータを壊して読み取り不能な状態とするようにしてもよい。また、レーザー光を照射して記録媒体を物理的に破壊し、読み取り不能な状態とすることもできる。
【０００８】
また、上記発明の制御装置であって、前記媒体処理部は、前記コンペア処理実行部によるコンペア処理の結果が異常の場合であり、かつ、前記使用時間記憶部に記憶された時間が予め設定された閾値を上回る場合、記録媒体に書き込まれたデータを読み取り不能な状態とするようにしてもよい。
この構成によれば、記録媒体駆動部によりデータの読み書きが行われた時間が閾値を上回った場合に記録ディスクに書き込まれたデータが読み取り不能な状態とされることとなり、記録媒体駆動部が実際に使用された時間に基づく経年劣化を適切に反映した上でコンペア処理の結果に対応して適切に記録媒体のデータを読み取り不能な状態とすることができる。
【０００９】
また、上記発明の制御装置であって、データの書き込みが終了した記録媒体を収納する収納部を複数備えると共に、データの書き込みが終了した記録媒体をいずれかの前記収納部に搬送する搬送部を備え、前記コンペア処理実行部によるコンペア処理の結果、及び、前記使用時間記憶部に記憶された時間に基づいて、データの書き込みが終了した記録媒体を搬送すべき前記収納部を切り替える収納切替部を備えるようにしてもよい。
この構成によれば、前記コンペア処理実行部によるコンペア処理の結果、及び、前記使用時間記憶部に記憶された時間に応じて、記録媒体が収納される収納部を切り替えることができ、記録媒体の適切な管理が可能となる。
また、本発明は、上記の制御装置を含む記録媒体処理装置であることが好ましい。記録媒体処理装置として、一連の処理を行うことができる。
【００１０】
また、上記目的を達成するために、本発明は、記録媒体にデータを読み書きする記録媒体駆動部と、記録媒体に画像を記録する記録部とを備える記録媒体処理装置を制御して、前記記録媒体駆動部によってデータの読み書きを行った時間を累積的に記憶すると共に、前記記録媒体駆動部によって記録媒体にデータを書き込んだ後、当該記録媒体から書き込んだデータを読み取り、読み取ったデータと元データとに基づいてコンペア処理を実行し、このコンペア処理の結果、及び、記憶した時間に基づいて前記記録部を制御して記録媒体へ画像を記録することを特徴とする。
この制御方法によれば、コンペア処理の結果、及び、記録媒体駆動部によって記録媒体にデータの読み書きを行った時間に基づいて記録装置が制御されて記録媒体へ画像が記録されるため、記録媒体駆動部の経年劣化を反映した上でコンペア処理の結果に対応して記録媒体への画像の記録を行うことができ、記録された画像に基づき、記録媒体の適切な管理が可能となる。
【００１１】
また、上記目的を達成するために、本発明は、記録媒体にデータを読み書きする記録媒体駆動部と、記録媒体に画像を記録する記録部とを備える記録媒体処理装置を制御する制御部により実行されるプログラムであって、前記制御部を、前記記録媒体駆動部によってデータの読み書きを行った時間を累積的に記憶する使用時間記憶部と、前記記録媒体駆動部によって記録媒体にデータを書き込んだ後、当該記録媒体から書き込んだデータを読み取り、読み取ったデータと元データとに基づいてコンペア処理を実行するコンペア処理実行部と、このコンペア処理実行部によるコンペア処理の結果、及び、前記使用時間記憶部に記憶された時間に基づいて前記記録部を制御して記録媒体へ画像を記録する記録装置制御部と、として機能させることを特徴とする。
このプログラムを実行することにより、コンペア処理の結果、及び、記録媒体駆動部によって記録媒体にデータの読み書きを行った時間に基づいて記録装置が制御されて記録媒体へ画像が記録されるため、記録媒体駆動部の経年劣化を反映した上でコンペア処理の結果に対応して記録媒体への画像の記録を行うことができ、記録された画像に基づき、記録媒体の適切な管理が可能となる。
【発明の効果】
【００１２】
本発明によれば、コンペア処理の結果を反映して適切に記録ディスクを管理することが可能となる。
【図面の簡単な説明】
【００１３】
【図１】本実施形態に係るディスク発行装置及びホストコンピューターを示す図。
【図２】ディスク発行装置の装置本体を上から見た図である。
【図３】ディスク発行装置及びホストコンピューターの機能ブロック図である。
【図４】光ディスクドライブの機能的構成を示すブロック図である。
【図５】ホストコンピューターの動作を示すフローチャートである。
【図６】ホストコンピューターの動作を示すフローチャートである。
【発明を実施するための形態】
【００１４】
以下、図面を参照して本発明の実施形態について説明する。
図１は、本実施形態に係るディスク発行装置１（記録媒体処理装置）及びホストコンピューター２（制御装置）を概略的に示す図であり、図２は、ディスク発行装置１の装置本体１０の内部を上から見た図である。
図１に示すように、ディスク発行装置１は、箱形に形成された装置本体１０の内部に、記録ディスクＤの記録面にデータを記録するデータ記録処理を施す光ディスクドライブ２０（記録媒体駆動部）と、この記録ディスクＤのレーベル面に対してインクを吐出することにより文字、図形、絵柄等の画像を印刷する印刷処理を施すインクジェット式の記録装置３０（記録部）とを備え、これら装置により、記録ディスクＤの記録面にデータを記録し、また、レーベル面に画像を記録する。
記録ディスクＤとは、レーザー光等を利用したデータの書込及び追記、読み取り等が可能な光学的記録媒体であり、例えば、ＣＤ−Ｒ，ＣＤ−ＲＷ，ＤＶＤ±Ｒ，ＤＶＤ±ＲＷ，ＤＶＤ−ＲＡＭ、あるいは、次世代ＤＶＤと呼ばれる光ディスク等がある。この記録ディスクＤの一方の盤面には、レーザー光によりデータを記録する記録面が形成され、他方の盤面には、文字や図形、絵柄等の画像を記録可能なレーベル面が形成されている。本実施形態では、記録ディスクＤとしてＣＤ−Ｒ、ＣＤ−ＲＷが利用されるものとし、光ディスクドライブ２０は、これらディスクに対しデータの読み書きが可能に構成されているものとする。
【００１５】
図１に示すように、ディスク発行装置１の装置本体１０は、ディスク発行装置１の土台たる装置本体下部１３と、この装置本体下部１３の上方に設けられた装置本体上部１２とを備え、この装置本体上部１２の内部には装置本体内部１０Ａが形成され、この装置本体内部１０Ａには、光ディスクドライブ２０や記録装置３０等の各装置が配置される。また、装置本体内部１０Ａの前面１２Ｂには、開口部１４が形成されている。
装置本体上部１２の装置本体内部１０Ａには、光ディスクドライブ２０、２０、記録装置３０のほか、第１スタッカー４１（収納部）、第２スタッカー４２（収納部）、搬送装置６０が配置されている。光ディスクドライブ２０，２０と記録装置３０とは、装置本体内部１０Ａの一方の側において、上下に並んで一列に配置されている。また、図２に示すように、光ディスクドライブ２０および記録装置３０は、装置本体上部１２の背面１２Ａ側に偏って配置されている。一方、装置本体上部１２の他方の側には、第１スタッカー４１および第２スタッカー４２が装置本体上部１２の前面１２Ｂ側に偏って配置されており、これら第１スタッカー４１および第２スタッカー４２の後方には搬送装置６０のアーム部６１を支持するガイド６２が配置される。
【００１６】
また、図１に示すように、装置本体上部１２の開口部１４は、装置カバー１５により覆われている。この装置カバー１５は、開口部１４の他端１４Ａに設けられたドア軸１６に回動自在に支持される枠体１５Ａと、この枠体１５Ａに取り付けられた透明板１５Ｂとを備え、装置カバー１５が閉状態であっても、この透明板１５Ｂを介して装置本体上部１２に配置された光ディスクドライブ２０，２０、記録装置３０、第１スタッカー４１、第２スタッカー４２、搬送装置６０等を視認することができる。
また、装置カバー１５には、装置カバー１５の開閉状態を検出し、開閉検出信号として出力する開閉検出センサーが設けられており、この開閉検出センサーによって装置カバー１５の閉状態が検出されているときのみ、ディスク発行装置１に設けられた光ディスクドライブ２０や記録装置３０、搬送装置６０等の装置が稼動し、装置カバー１５が開状態とされると、ディスク発行装置１に設けられた各装置の動作が停止する構成となっている。この構成のため、装置カバー１５が開き、装置本体内部１０Ａにアクセス可能な状態で各装置が動作することが確実に防止される。
ディスク発行装置１では、第１スタッカー４１、第２スタッカー４２に対する記録ディスクＤの出し入れを行うときやメンテナンス時以外は、基本的には装置カバー１５は閉じられた状態とされ、これにより、装置本体１０の装置本体内部１０Ａに塵埃等が進入することが防止されている。
【００１７】
一方、装置本体下部１３には、一方の側、すなわち光ディスクドライブ２０や記録装置３０が配置される側には、第３スタッカー５０（収納部）が、装置本体下部１３の前面１３Ａに形成された引出口１７から引出自在に設けられている。第３スタッカー５０は、装置カバー１５が閉じられた状態でも引出口１７から第３スタッカー５０を引き出して、記録ディスクＤの出し入れを行うことができるよう構成されている。すなわち、光ディスクドライブ２０、記録装置３０や搬送装置６０が動作している状態でも、第３スタッカー５０を引出口１７から引き出して、第３スタッカー５０に対して記録ディスクＤの出し入れを行うことができるように構成されている。
【００１８】
その他、装置本体上部１２の前面１２Ｂにおいて、図１における正面視左下部にはディスク発行装置１の電源をオン／オフする電源スイッチ１８が設けられ、また正面視左上部には、ディスク発行装置１の各種状態等を報知する表示パネル７０（報知手段）が設けられている。
表示パネル７０には、ディスク発行装置１の電源のオン／オフ状態を示す電源状態表示部７１と、記録装置３０における各色のインク残量を示すインク残量表示部７２と、各スタッカーの状態を示すスタッカー状態表示部７３とが設けられている。各表示部はそれぞれＬＥＤ（発光ダイオード）を用いて構成することができ、ＬＥＤの点灯状態によって各種状態を表示させる態様とすることができる。例えば、電源状態表示部７１は、ディスク発行装置１の電源がオン／オフ状態にＬＥＤの点灯／消灯状態を対応させて、ディスク発行装置１の電源のオン／オフ状態を表示する態様とすることができる。
また、インク残量表示部７２は、記録装置３０で用いられるインク色毎に設けられる。本実施形態に係る記録装置３０は、インク色として、シアン（Ｃ）、マゼンタ（Ｍ）、イエロー（Ｙ）、ブラック（Ｋ）の４色のインクを用いており、インク残量表示部７２では、各色のインクの残量が表示される。
【００１９】
次に、光ディスクドライブ２０、記録装置３０、搬送装置６０について説明する。
光ディスクドライブ２０は、記録ディスクＤの記録面に対してレーザーを照射して記録ディスクＤのデータ記録層にデータを記録するもので、記録装置３０の上方に図１に示す例では二つの光ディスクドライブ２０が上下に並べて配置されている。各光ディスクドライブ２０は、それぞれ光ディスクドライブ本体２１と、この光ディスクドライブ本体２１に引き出し自在に設けられたディスクトレイ２２とを有している。各ディスクトレイ２２には、記録ディスクＤが嵌め込まれてセットされる略円形の凹部２３（図２）が形成されている。
【００２０】
記録装置３０は、記録ディスクＤのレーベル面に対して文字、図形等の画像を記録するものであり、光ディスクドライブ２０の下方に配置されている。
記録装置３０は、記録装置本体３１と、この記録装置本体３１に引き出し自在に設けられたディスクトレイ３２とを有している。このディスクトレイ３２には、上記と同様に記録ディスクＤが嵌め込まれてセットされる略円形の凹部（図示略）が形成されている。
また、図１及び図２における図示は省略したが、記録装置３０は、ピエゾ素子を用いて構成されるアクチュエーターによって、インクカートリッジから供給されるインクを記録ディスクＤのレーベル面へ向かって吹き出して、ノズル穴から微細なインク粒を吐出する記録ヘッドや、この記録ヘッドが搭載されるキャリッジ、記録ディスクＤを載置した状態のディスクトレイ３２を移動させることにより、記録ディスクＤを搬送する搬送機構等、記録ディスクＤのレーベル面に画像を記録するための機構や装置を備えている。
【００２１】
搬送装置６０は、図１に示すように、装置本体１０の装置本体内部１０Ａに立設された棒状のガイド６２と、このガイド６２に支持され、このガイド６２に沿って上下方向に摺動すると共に、ガイド６２を中心に回動する駆動部６３と、この駆動部６３に支持されたアーム部６１と、このアーム部６１の先端に設けられ、記録ディスクＤの中央部に形成されたクランプ領域をつかんで保持するハンドリング部６４と、を備えている。
【００２２】
駆動部６３には、ガイド６２における駆動部６３の上下方向における位置や、ガイド６２の軸を中心とした駆動部６３の回動位置に基づいてハンドリング部６４の位置を検出する位置検出センサーが設けられている。この位置検出センサーは、検出したハンドリング部６４の位置を示す信号を位置検出信号として出力する。位置検出センサーは、例えば、駆動部６３を駆動するモーターの回転角度を検出するロータリーエンコーダーや、駆動部６３自体の位置を検出するリニアエンコーダーまたはガイド６２の特定位置で駆動部６３の有無を検出する光センサー等を適用することができる。
【００２３】
次に、第１スタッカー４１、第２スタッカー４２及び第３スタッカー５０について説明する。
第１スタッカー４１は、図１及び図２に示すように、有底円筒形状に形成され、内部に数十枚（例えば、５０枚）程度の記録ディスクＤを積載して収納する収納部４１Ａが形成されている。この第１スタッカー４１は、装置本体内部１０Ａに固定された第１スタッカーベース４１Ｂに着脱自在に載置されている。第１スタッカー４１の外壁の一部には、下方に向かって長尺に切り欠かれた切り欠き部４１Ｃが形成されており、この切り欠き部４１Ｃを介して搬送装置６０のアーム部６１が収納部４１Ａの下部まで進行可能に構成されている。
第２スタッカー４２は第１スタッカー４１と略同一の構成を有している。第２スタッカー４２は、第１スタッカー４１の下方に、収納部４２Ａの上端と、第１スタッカーベース４１Ｂの下面との間に、搬送装置６０のアーム部６１が挿入可能な間隙Ｋを空けて、第２スタッカーベース４２Ｂに着脱自在に配置されている。また、第２スタッカー４２の外壁には第１スタッカー４１と略同様の切り欠き部４２Ｃが形成されており、上記間隙Ｋに挿入されたアーム部６１はこの切り欠き部４２Ｃを介して収納部４２Ａの下部まで進行可能に構成されている。
ここで、第１スタッカー４１および第２スタッカー４２は、ユーザーが設定を行うことにより、光ディスクドライブ２０や記録装置３０に供給される記録ディスクＤを収納する供給側のスタッカーとして使用したり、光ディスクドライブ２０および／または記録装置３０において所定のデータ記録処理および／または所定の印刷処理が施された記録ディスクＤが収納される排出側のスタッカーとして使用したりすることができる。なお、以下、供給側のスタッカーとして使用されるものを供給側スタッカーといい、排出側のスタッカーとして使用されるものを排出側スタッカーという。
【００２４】
第３スタッカー５０は、排出側スタッカーとして使用されるものであり、図２に示すように、数枚の記録ディスクＤを積載して収納するためのディスク収納部５３を有している。第３スタッカー５０は、装置本体１０の装置本体下部１３に対して引き出し自在に構成されている。具体的には、装置本体下部１３に、背面１２Ａへ向かって凹んだ状態で第３スタッカー引込部５１（図２参照）が形成されており、この第３スタッカー引込部５１に図２中矢印Ａで示す方向に引き出し／引き込み自在に第３スタッカー５０が取り付けられている。
装置本体内部１０Ａの下面に形成された内部下面１０Ｂ（図２）であって、第３スタッカー５０が第３スタッカー引込部５１に引き込まれたときに、ディスク収納部５３の上方に相当する箇所には、ディスク収納部５３に至るまで貫通した状態でディスク通過部５５が形成されている。このディスク通過部５５は、ディスク収納部５３に記録ディスクＤを収納する際に、記録ディスクＤを、盤面を略平行に保った状態でディスク収納部５３に導くための空間であり、例えば、記録装置３０によって画像の印刷が終了した記録ディスクＤは、後述する搬送装置６０に保持され、このディスク通過部５５にいたるまで搬送された後、搬送装置６０による保持が解除され、このディスク通過部５５内を通過し、ディスク収納部５３に収納される。
【００２５】
さらに、図１に二点鎖線で示すように、ディスク通過部５５の上方には、増設スタッカー５７を取り付けることができる。この増設スタッカー５７は、有底円筒形状に形成されており、内部に数十枚（例えば、５０枚）程度の記録ディスクＤを積載して収納する増設ディスク収納部５７Ａが形成されている。この増設スタッカー５７を取り付けることにより、ディスク発行装置１において、収納可能な記録ディスクＤの枚数を増やすことができ、連続して発行可能な記録ディスクＤの枚数の増大を図ることができる。
ユーザーは、この増設スタッカー５７を排出側スタッカーや収納側スタッカーとして指定することができる。
【００２６】
図３は、ディスク発行装置１及びホストコンピューター２の機能的構成を示すブロック図である。
ホストコンピューター２は、ホスト側制御部８０と、表示部８１と、入力部８２と、記憶部８３と、インターフェイス部８４と、を備えている。
ホスト側制御部８０は、ホストコンピューター２の各部を中枢的に制御するものであり、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。ホスト側制御部８０は、後述するコンペア処理実行部１０１を備えている。
表示部８１は、液晶表示パネルを備え、ホスト側制御部８０の制御の下、ホスト側制御部８０から入力される映像信号に係る画像を液晶表示パネルに表示する。なお、表示部８１は、液晶表示パネルではなく、有機ＥＬパネルやＣＲＴを備えていてもよい。
入力部８２は、マウスやキーボード等の入力デバイスに接続され、ユーザーによる入力デバイスの操作を検出し、検出した操作に対応する操作信号をホスト側制御部８０に出力する。
記憶部８３は、ハードディスクや、ＥＥＰＲＯＭ等を備え、各種データを書き換え可能に記憶する。記憶部８３には、後述するレーザー光照射累積時間データ１００が記憶される。
インターフェイス部８４は、通信ケーブル等を介してディスク発行装置１に接続され、ホスト側制御部８０の制御の下、ディスク発行装置１との間で各種信号を送受信する。
【００２７】
ディスク発行装置１は、装置側制御部８６と、２台の光ディスクドライブ２０と、記録装置３０と、搬送装置６０と、インターフェイス部８７とを備えている。
装置側制御部８６は、ディスク発行装置１の各部を中枢的に制御するものであり、ホスト側制御部８０と同様、ＣＰＵ、ＲＯＭ、ＲＡＭその他周辺回路を備えている。
記録装置３０は、インクジェット式のプリンターであり、装置側制御部８６の制御の下、記録媒体たる光ディスクのレーベル面に所定の画像を印刷する。
光ディスクドライブ２０は、装置側制御部８６の制御の下、記録媒体たる光ディスクの記録面に所定のデータを記録する。本実施形態に係るディスク発行装置１は、２台の光ディスクドライブ２０を備えており、同時並行的に、２枚の記録媒体に対してデータの書き込みが可能とされ、処理効率の向上が図られている。
搬送装置６０は、データ及び画像の記録前の記録ディスクＤが収納された所定のスタッカーから記録ディスクＤを１枚ずつ取り出し、取り出した記録媒体を光ディスクドライブ２０又は記録装置３０に供給し、また、光ディスクドライブ２０と記録装置３０との間で記録ディスクＤを搬送し、また、データ及び画像の記録後の記録ディスクＤを所定のスタッカーに搬送する。
インターフェイス部８４は、信号伝送ケーブル等を介してホストコンピューター２に接続され、装置側制御部８６の制御の下、ホストコンピューター２との間で各種信号を送受信する。
【００２８】
図４は、光ディスクドライブ２０の機能的構成を示すブロック図である。
図４に示すように、光ディスクドライブ２０は、記録ディスクＤに対してデータの書き込み、及び、読み出しを実行する装置であり、ドライブ側制御部９０と、スピンドルモーター９１と、光ピックアップ９２と、スライダーモーター９３と、モーター駆動部９４と、レーザー制御部９５と、信号処理部９６と、サーボ部９７と、インターフェイス部９８と、を備えている。
ドライブ側制御部９０は、上述したホスト側制御部８０と同様、ＣＰＵや、ＲＯＭ、ＲＡＭその他の周辺回路を備え、光ディスクドライブ２０の各部を中枢的に制御する。
スピンドルモーター９１は、光ディスクドライブ２０にセットされた記録ディスクＤを回転する。
光ピックアップ９２は、レーザー光を照射する半導体レーザーや、半導体レーザーが照射したレーザー光の反射光を受光するフォトセンサー、半導体レーザーから照射されたレーザー光の焦点を調整すると共に、レーザー光の反射光をフォトセンサーに導くレンズ、このレンズを記録ディスクＤの面に対して垂直に移動させるフォーカスアクチュエーター、レンズを記録ディスクＤの径方向に移動させるトラッキングアクチュエーター等を備えている。光ピックアップ９２には、光ピックアップ９２を記録ディスクＤの径方向に移動させるスライダーモーター９３が接続されている。
モーター駆動部９４は、ドライブ側制御部９０の制御の下、サーボ部９７の出力値を反映してスピンドルモーター９１及びスライダーモーター９３の回転数を制御する。
レーザー制御部９５は、ドライブ側制御部９０の制御の下、光ピックアップ９２が備える半導体レーザーを制御してレーザー光を照射する。
【００２９】
信号処理部９６は、光ピックアップ９２が備えるフォトセンサーからの入力信号を増幅する増幅回路や、増幅された信号をデジタル化するＡ／Ｄコンバーターを備え、誤り訂正等の必要な処理を行った上でフォトセンサーの検出値をデジタル信号としてドライブ側制御部９０に出力する。また、信号処理部９６は、フォトセンサーからの入力信号に基づいて、フォーカスエラー信号、及び、トラッキングエラー信号を生成し、サーボ部９７に出力する。
サーボ部９７は、信号処理部９６から入力されたフォーカスエラー信号に基づいて光ピックアップ９２が備えるフォーカスアクチュエーターを制御してレンズの焦点を調整するフォーカスサーボ制御、トラッキングエラー信号に基づいてトラッキングアクチュエーターを制御してレーザー光の軌道を調整するトラッキングサーボ制御、及び、モーター駆動部９４を制御してスピンドルモーター９１及びスライダーモーター９３の回転を制御するモーター回転制御を行う。
また、ドライブ側制御部９０は、レーザー制御部９５を制御することにより半導体レーザーからレーザー光を照射した時間を計測し、計測した時間に基づいて、半導体レーザーがレーザー光を照射した累積時間を示すデータを生成し、生成したデータをホスト側制御部８０に出力する。ホスト側制御部８０は、入力されたデータをレーザー光照射累積時間データ１００として記憶部８３に記憶する。この場合、ホスト側制御部８０は、記憶部８３に、光ディスクドライブ２０によってデータの読み書きを行った時間を記憶する使用時間記憶部として機能する。
インターフェイス部９８は、ドライブ側制御部９０の制御の下、装置側制御部８６との間で各種信号を送受信する。
【００３０】
このような構成の下、データの読み出し時には、スピンドルモーター９１及びスライダーモーター９３の回転が適切に制御された上で、半導体レーザーからレーザーが照射され、照射されたレーザー光の反射光を受光するフォトセンサーの検出値に対応する信号が信号処理部９６からドライブ側制御部９０に出力される。ドライブ側制御部９０は、信号処理部９６から入力された信号に基づいて、記録ディスクＤに書き込まれたデータを取得する。
一方、データの書き込み時には、スピンドルモーター９１及びスライダーモーター９３の回転が適切に制御された上で、書き込むべきデータ（元データ）に対応して、記録ディスクＤを構成する各層のうち所定の記憶層に半導体レーザーからレーザー光が照射され、データの書き込みが行われる。
【００３１】
また、本実施形態に係るディスク発行装置１では、光ディスクドライブ２０によって記録ディスクＤにデータを書き込んだ後、ベリファイ処理及びコンペア処理を実行可能である。
ベリファイ処理とは、記録ディスクＤに書き込まれたデータを読み出し、読み出したデータの誤りチェックを行うことにより、記録ディスクＤに書き込まれたデータの整合性を検査する処理である。
コンペア処理とは、記録ディスクＤに書き込まれたデータを読み出し、読み出したデータと、記録ディスクＤに書き込まれたデータの元となった元データとの比較を通して、これらデータ間における整合性を確認し、これにより記録ディスクＤに対して正常にデータが書き込まれているかどうかを検査する処理である。このコンペア処理は、ホスト側制御部８０が備えるコンペア処理実行部１０１によって実行される。
ユーザーは、ホストコンピューター２を利用して、光ディスクドライブ２０によって記録ディスクＤにデータを書き込んだ後、ベリファイ処理を行うか否か、また、コンペア処理を行うか否かを事前に設定することができる。
【００３２】
ここで、コンペア処理の結果が異常となる場合には、記録ディスクＤへ書き込まれたデータに異常がある場合だけでなく、コンペア処理に際して行われるデータの読み取りが記録ディスクＤと光ディスクドライブ２０との相性やコンペア処理実行中に発生した振動等の何らかの原因により正常に行われなかったことに起因する場合がある。
さらに、光ディスクドライブ２０によるデータの読み書きが正常に行われない程度に光ディスクドライブ２０の経年劣化が進んでいる場合は、記録ディスクＤへ書き込まれたデータに異常があることに起因してコンペア処理の結果が異常となる可能性が高い。一方で、光ディスクドライブ２０の経年劣化が進んでいない場合は、コンペア処理に際して行われるデータの読み取りが正常に行われなかったことに起因してコンペア処理の結果が異常となった可能性があり、データの書き込み自体は正常に行われている可能性がある。
これを踏まえ、記録ディスクＤに対するコンペア処理の結果が異常となった場合であっても、このような記録ディスクＤを一律に廃棄処分とするのではなく、データが正常に書き込まれている可能性のある記録ディスクＤについては、このような記録ディスクＤを識別できるようにし、例えば、他の機器等を利用して改めてコンペア処理を行うことができるようにできれば、正常にデータが書き込まれている記録ディスクＤが廃棄されることを防止でき、コンペア処理の結果を反映した適切な記録ディスクＤの管理が実現できる。
【００３３】
図５及び図６は、ホストコンピューター２の動作を示すフローチャートである。
本実施形態では、データの書き込み中にエラーが発生してデータの書き込みが正常に終了しなかった場合、デリファイ処理の結果が異常であった場合、又は、コンペア処理の結果が異常であり、かつ、半導体レーザーからレーザー光が照射された累積時間（レーザー光照射累積時間データ１００が示す時間）が閾値を上回る場合（詳細は後述）、のいずれかの場合に、記録ディスクＤに既に書き込まれたデータを確実に読み取りできない状態とする処理（以下、「データ読出不能処理」という）を行うか否かを、ホストコンピューター２を利用してユーザーが事前に指定する構成となっている。これにより、記録ディスクＤに既に書き込まれたデータが読み取り不能となるため、例えば、個人情報に係るデータ等の秘匿すべきデータが記録ディスクＤに記録された場合であって、上述したいずれかの理由により記録ディスクＤにデータが正常に書き込まれていないと判別され、当該記録ディスクＤが破棄された場合に、破棄された記録ディスクＤからデータが読み取られるということが防止される。ユーザーは、記録ディスクＤに書き込むデータの性質に応じて、データ読出不能処理を実行するか否かを指示できる。データ読出不能処理は、例えば、記録ディスクＤの記録面のデータが書き込まれた領域に対するレーザー処理によるデータの破壊により行われる。
【００３４】
また、本実施形態では、ユーザーは、ホストコンピューター２を利用して、第１スタッカー４１、第２スタッカー４２、及び、第３スタッカー５０のうち、いずれかのスタッカーを供給側スタッカーとして指定すると共に、他の１のスタッカーを正常ディスク排出スタッカーとして指定し、さらに他の１のスタッカーを異常ディスク排出スタッカーとして指定するものとする。正常ディスク排出スタッカーとは、データの記録が正常に終了し、かつ、ベリファイ処理及びコンペア処理の結果も正常である記録ディスクＤを収納する排出側スタッカーのことである。異常ディスク排出スタッカーとは、記録ディスクＤへのデータの書き込みに際し、データの書き込み中にエラーが発生してデータの書き込みが正常に終了しなかった場合、デリファイ処理の結果が異常であった場合、又は、コンペア処理の結果が異常であった場合、のいずれかの事態が発生した記録ディスクＤを収納する排出側スタッカーのことである。以下の説明では、第１スタッカー４１が供給側スタッカーとして指定され、第２スタッカー４２が正常ディスク排出スタッカーとして指定され、第３スタッカー５０が異常ディスク排出スタッカーとして指定されているものとする。
また、説明の便宜のため、光ディスクドライブ２０に記録ディスクＤがセットされ、この記録ディスクＤに対しデータの書き込みを開始するところからフローチャートでの動作の説明を始めるものとする。
また、予め、記録ディスクＤの記録面に記録すべきデータが、ホストコンピューター２上で用意されると共に、このデータを記録ディスクＤの記録面に記録することが指示され、かつ、ホストコンピューター２上で記録ディスクＤの記録すべき画像を示す画像データが生成され、この画像データに係る画像を記録ディスクＤのレーベル面に記録することが指示されているものとする。
また、記録ディスクＤへデータの書き込みを行った後は、ベリファイ処理、及び、コンペア処理の両方の処理を行うことが指示されているものとする。
また、本実施形態では、ホスト側制御部８０は、コンペア処理実行部１０１によるコンペア処理の結果、及び、記憶部８３に記憶されたレーザー光照射累積時間データ１００に基づいて、記録装置３０を制御して記録ディスクＤのレーベル面に画像を記録する記録装置制御部として、また、所定の条件が成立した場合、記録ディスクＤに対しデータ読出不能処理（後述）を施し、記録ディスクＤに既に記憶されたデータを読み取り不能な状態とする媒体処理部として、また、コンペア処理の結果、及び、記憶部８３に記憶されたレーザー光照射累積時間データ１００に基づいて、記録ディスクＤを収納すべきスタッカーを切り替える収納切替部として機能する。これら機能は、いずれもホスト側制御部８０がプログラムを実行する等、ハードウェアとソフトウェアとの協働によって実現される。
【００３５】
ホスト側制御部８０は、光ディスクドライブ２０により記録ディスクＤにデータを書き込むと共に（ステップＳＡ１）、データの書き込みが完了したか否かを監視する（ステップＳＡ２）。ステップＳＡ２において「データの書き込みが完了した」とは、記録ディスクＤへのデータの書き込み中にエラーが発生することなく、元データに対応する全てのデータの書き込み処理が完了したことを意味する。
データの書き込みが完了しなかった場合（ステップＳＡ２：ＮＯ）、ホスト側制御部８０は、上述したデータ読出不能処理を行うよう指示されているか否かを判別する（ステップＳＡ３）。データ読出不能処理を行うよう指示されていない場合（ステップＳＡ３：ＮＯ）、ホスト側制御部８０は、処理手順をステップＳＡ５へ移行する。一方、データ読出不能処理を行うよう指示されている場合（ステップＳＡ３：ＹＥＳ）、ホスト側制御部８０は、光ディスクドライブ２０を制御して、記録ディスクＤに既に書き込まれたデータを読み取り不能な状態とする（ステップＳＡ４）。
次いで、ホスト側制御部８０は、光ディスクドライブ２０に記録ディスクＤを排出させ、搬送装置６０により当該記録ディスクＤを記録装置３０に搬送し、記録ディスクＤを記録装置３０にセットする（ステップＳＡ５）。
次いで、ホスト側制御部８０は、記録装置３０を制御して、記録ディスクＤのレーベル面に、予め指示された画像を記録することなく、「データの書き込み中にエラーが発生し、データの書き込みが正常に終了しなかった」旨を示す画像を記録する（ステップＳＡ６）。画像は、その旨を示すマークを予め定めておき、そのマークに係る画像でもよく、また、その旨を示す文言を予め定めておき、その文言に係る画像でもよい。
次いで、ホスト側制御部８０は、記録装置３０から記録ディスクＤを排出し、異常ディスク排出スタッカーとして指定された第３スタッカー５０に記録ディスクＤを搬送して、収納する（ステップＳＡ７）。
このように、本実施形態では、データの書き込みが完了しなかった場合（ステップＳＡ２：ＮＯ）、予め指示されている場合には、記録ディスクＤに対しデータ読出不能処理が施される。これにより、記録ディスクＤに既に書き込まれたデータの漏洩が起こることが確実に防止される。
また、データの書き込みが完了しなかった場合は、その旨を示す画像が記録ディスクＤのレーベル面に記録される。これにより、ユーザーは、簡易、かつ、確実に、データの書き込みが完了しなかった記録ディスクＤであることを認識でき、当該記録ディスクＤを他の記録ディスクＤと区別して管理することができる。
また、データの書き込みが完了しなかった場合は、正常な記録ディスクＤ（データの書き込みが完了し、ベリファイ処理及びコンペア処理が共に正常なディスク）以外の記録ディスクＤが収納される異常ディスク排出スタッカー（本実施形態では、第３スタッカー５０）に、記録ディスクＤが収納される。これにより、ユーザーは、当該記録ディスクＤを正常な記録ディスクＤと区別した上で容易に管理できる。
【００３６】
ステップＳＡ２において、データの書き込みが完了した場合（ステップＳＡ２：ＹＥＳ）、ホスト側制御部８０は、ベリファイ処理を実行する（ステップＳＡ８）。
次いで、ホスト側制御部８０は、ベリファイ処理の結果が正常か否かを判別する（ステップＳＡ９）。
ベリファイ処理の結果が異常の場合（ステップＳＡ９：「異常」）、ホスト側制御部８０は、上述したデータ読出不能処理を行うよう指示されているか否かを判別する（ステップＳＡ１０）。データ読出不能処理を行うよう指示されていない場合（ステップＳＡ１０：ＮＯ）、ホスト側制御部８０は、処理手順をステップＳ１２へ移行する。一方、データ読出不能処理を行うよう指示されている場合（ステップＳＡ１０：ＹＥＳ）、ホスト側制御部８０は、光ディスクドライブ２０を制御して、記録ディスクＤに既に書き込まれたデータを読み取り不能な状態とする（ステップＳＡ１１）。
次いで、ホスト側制御部８０は、光ディスクドライブ２０に記録ディスクＤを排出させ、搬送装置６０により当該記録ディスクＤを記録装置３０に搬送し、記録ディスクＤを記録装置３０にセットする（ステップＳＡ１２）。
次いで、ホスト側制御部８０は、記録装置３０を制御して、記録ディスクＤのレーベル面に、予め指示された画像を記録することなく、「ベリファイ処理の結果が異常である」旨を示す画像を記録する（ステップＳＡ１３）。画像は、その旨を示すマークを予め定めておき、そのマークに係る画像でもよく、また、その旨を示す文言を予め定めておき、その文言に係る画像でもよい。
次いで、ホスト側制御部８０は、記録装置３０から記録ディスクＤを排出し、異常ディスク排出スタッカーとして指定された第３スタッカー５０に記録ディスクＤを搬送して、収納する（ステップＳＡ１４）。
このように、本実施形態では、ベリファイ処理の結果が異常の場合（ステップＳＡ９：「異常」）、予め指示されている場合には、記録ディスクＤに対しデータ読出不能処理が施される。これにより、記録ディスクＤに既に書き込まれたデータの漏洩が起こることが確実に防止される。
また、ベリファイ処理の結果が異常の場合は、その旨を示す画像が記録ディスクＤのレーベル面に記録される。これにより、ユーザーは、簡易、かつ、確実に、ベリファイ処理の結果が異常であった記録ディスクＤであることを認識でき、当該記録ディスクＤを他の記録ディスクＤと区別して管理することができる。
また、ベリファイ処理の結果が異常の場合は、正常な記録ディスクＤ（データの書き込みが完了し、ベリファイ処理及びコンペア処理が共に正常なディスク）以外の記録ディスクＤが収納される異常ディスク排出スタッカー（本実施形態では、第３スタッカー５０）に、記録ディスクＤが収納される。これにより、ユーザーは、当該記録ディスクＤを正常な記録ディスクＤと区別した上で容易に管理できる。
【００３７】
ステップＳＡ９において、ベリファイ処理の結果が正常の場合（ステップＳＡ９：「正常」）、ホスト側制御部８０のコンペア処理実行部１０１は、コンペア処理を実行する（ステップＳＡ１５）。
次いで、ホスト側制御部８０は、コンペア処理の結果が正常か否かを判別する（ステップＳＡ１６）。
コンペア処理の結果が正常の場合（ステップＳＡ１６：「正常」）、ホスト側制御部８０は、光ディスクドライブ２０に記録ディスクＤを排出させ、搬送装置６０により当該記録ディスクＤを記録装置３０に搬送し、記録ディスクＤを記録装置３０にセットする（ステップＳＡ１７）。
次いで、ホスト側制御部８０は、記録装置３０を制御して、記録ディスクＤのレーベル面に、予め指示された画像を記録し（ステップＳＡ１８）、記録装置３０から記録ディスクＤを排出し、正常ディスク排出スタッカーとして指定された第２スタッカー４２に記録ディスクＤを搬送して、収納する（ステップＳＡ１９）。
【００３８】
ステップＳＡ１６において、コンペア処理の結果が異常の場合（ステップＳＡ１６：「異常」）、ホスト側制御部８０は、レーザー光照射累積時間データ１００を取得し、レーザー光照射累積時間データ１００が示すレーザー光が照射された累積時間と、予め定められた所定の閾値とを比較する（ステップＳＡ２０）。
ここで、所定の閾値とは、レーザー光が照射された累積時間がこの所定の閾値を上回る場合、光ディスクドライブ２０の半導体レーザーその他の部品の経年劣化が進み、記録ディスクＤに書き込まれたデータの読み書きが正常に行われない事態が発生する可能性があるような値である。所定の閾値は、半導体レーザーの製品寿命や、半導体レーザーによってレーザー光が照射された時間と他の部品の製品寿命との関係によって、事前に、実験やシミュレーションを通して定められる。なお、本実施形態では、レーザー光が照射された累積時間が、「記録媒体駆動部によってデータの読み書きを行った時間」に該当する。
【００３９】
レーザー光が照射された累積時間が所定の閾値を上回る場合（ステップＳＡ２１：ＮＯ）、ホスト側制御部８０は、上述したデータ読出不能処理を行うよう指示されているか否かを判別する（ステップＳＡ２２）。データ読出不能処理を行うよう指示されていない場合（ステップＳＡ２２：ＮＯ）、ホスト側制御部８０は、処理手順をステップＳＡ２４へ移行する。一方、データ読出不能処理を行うよう指示されている場合（ステップＳＡ２２：ＹＥＳ）、ホスト側制御部８０は、光ディスクドライブ２０を制御して、記録ディスクＤに既に書き込まれたデータを読み取り不能な状態とする（ステップＳＡ２３）。
次いで、ホスト側制御部８０は、光ディスクドライブ２０に記録ディスクＤを排出させ、搬送装置６０により当該記録ディスクＤを記録装置３０に搬送し、記録ディスクＤを記録装置３０にセットする（ステップＳＡ２４）。
次いで、ホスト側制御部８０は、記録装置３０を制御して、記録ディスクＤのレーベル面に、予め指示された画像を記録することなく、「コンペア処理の結果が異常である」旨を示す画像を記録する（ステップＳＡ２５）。画像は、その旨を示すマークが予め定めておき、そのマークに係る画像でもよく、また、その旨を示す文言を予め定めておき、その文言に係る画像でもよい。
次いで、ホスト側制御部８０は、記録装置３０から記録ディスクＤを排出し、異常ディスク排出スタッカーとして指定された第３スタッカー５０に記録ディスクＤを搬送して、収納する（ステップＳＡ２６）。
【００４０】
このように、本実施形態では、コンペア処理の結果が異常の場合であって、レーザー光が照射された累積時間が所定の閾値を上回る場合（ステップＳＡ２１：ＮＯ）、つまり、光ディスクドライブ２０の経年劣化に起因して記録ディスクＤに対するデータの書き込みが正常に行われず、これによりコンペア処理の結果が異常となった可能性が高い場合、以下の処理を行う。
すなわち、上記の場合であって、事前に指示されている場合には、記録ディスクＤに対しデータ読出不能処理が施される。これにより、記録ディスクＤに既に書き込まれたデータの漏洩が起こることが確実に防止される。
また、上記の場合は、その旨を示す画像が記録ディスクＤのレーベル面に記録される。これにより、ユーザーは、簡易、かつ、確実に、ベリファイ処理の結果が異常であった記録ディスクＤであることを認識でき、当該記録ディスクＤを他の記録ディスクＤと区別して管理することができる。なお、コンペア処理の結果が異常であることと併せて、光ディスクドライブ２０の経年劣化が進行している可能性がある旨記録するようにしてもよい。これによれば、ユーザーは、光ディスクドライブ２０の経年劣化の状況を認識でき、この認識に基づいて、例えば、部品の交換等の適切な処理を行うことができる。
また、上記の場合は、正常な記録ディスクＤ（データの書き込みが完了し、ベリファイ処理及びコンペア処理が共に正常なディスク）以外の記録ディスクＤが収納される異常ディスク排出スタッカー（本実施形態では、第３スタッカー５０）に、記録ディスクＤが収納される。これにより、ユーザーは、当該記録ディスクＤを正常な記録ディスクＤと区別した上で容易に管理できる。
【００４１】
ステップＳＡ２１において、レーザー光が照射された累積時間が所定の閾値を下回る場合（ステップＳＡ２１：ＹＥＳ）、ホスト側制御部８０は、光ディスクドライブ２０に記録ディスクＤを排出させ、搬送装置６０により当該記録ディスクＤを記録装置３０に搬送し、記録ディスクＤを記録装置３０にセットする（ステップＳＡ２７）。
次いで、ホスト側制御部８０は、記録装置３０を制御して、記録ディスクＤのレーベル面に、予め指示された画像を記録し（ステップＳＡ２８）、記録装置３０から記録ディスクＤを排出し、異常ディスク排出スタッカーとして指定された第３スタッカー５０に記録ディスクＤを搬送して、収納する（ステップＳＡ２９）。
このように、本実施形態では、コンペア処理の結果が異常の場合であって、レーザー光が照射された累積時間が所定の時間を下回る場合（ステップＳＡ２１：ＹＥＳ）、つまり、光ディスクドライブ２０の経年劣化が進んでおらず、コンペア処理に際して行われるデータの読み取りが記録媒体と記録媒体駆動部との相性やコンペア処理実行中に発生した振動等の何らかの原因により正常に行われなかったことに起因してコンペア処理の結果が異常となった可能性があり、従って、データの記録自体は正常に行われている可能性がある場合は、以下の処理を行う。
すなわち、上記の場合は、データ読出不能処理を行わず、かつ、レーベル面に予め定められた画像を記録した上で、記録ディスクＤを、異常ディスク排出スタッカーたる第３スタッカー５０に収納する。これにより、ユーザーは、第３スタッカー５０に、レーベル面に指定の画像が記録された記録ディスクＤが収納されていることを認識することにより、当該記録ディスクＤが、正常にデータの書き込みが行われている可能性のある記録ディスクＤであることを認識でき、この認識に基づいて、他の光ディスクドライブを利用して改めてコンペア処理を行い、記録ディスクＤに正常にデータが書き込まれているか否かを確認する等の適切な処理を行うことができる。
【００４２】
以上説明したように、本実施形態に係るホストコンピューター２は、光ディスクドライブ２０によって読み書きを行った時間に対応したデータであるレーザー光照射累積時間データ１００を記憶する記憶部８３と、コンペア処理を実行するコンペア処理実行部１０１と、を備え、ホストコンピューター２のホスト側制御部８０は、コンペア処理の結果と、レーザー光照射累積時間データ１００が示す値とに基づいて、記録装置３０を制御して記録ディスクＤへ画像を記録する。
この構成によれば、コンペア処理の結果、及び、光ディスクドライブ２０によって記録ディスクＤにデータの読み書きを行った時間に基づいて記録装置３０が制御されて記録ディスクＤへ画像が記録されるため、光ディスクドライブ２０の経年劣化を反映した上でコンペア処理の結果に対応して記録ディスクＤへの画像の記録を行うことができ、記録された画像に基づき、記録ディスクＤの適切な管理が可能となる。
【００４３】
また、本実施形態によれば、ホスト側制御部８０は、コンペア処理実行部１０１によるコンペア処理の結果が異常の場合であって、レーザー光照射累積時間データ１００が示す値が閾値を上回る場合、記録装置３０を制御して記録ディスクＤのレーベル面にコンペア処理の結果が異常であることを示す画像等のコンペア処理の結果が異常であることに対応した画像を記録する。
これによれば、コンペア処理の結果が異常の場合であって、光ディスクドライブ２０によりデータの読み書きが行われた時間が閾値を上回った場合に、コンペア処理の結果が異常であることに対応した画像が記録媒体に記録されることとなり、光ディスクドライブ２０が実際に使用された時間に基づく経年劣化を適切に反映した上でコンペア処理の結果に対応した画像の記録を実行できる。
【００４４】
また、本実施形態によれば、ホスト側制御部８０は、コンペア処理の結果、及び、レーザー光照射累積時間データ１００が示す値に基づいて、記録ディスクＤに書き込まれたデータを読み取り不能な状態とする。
これによれば、コンペア処理の結果、及び、レーザー光照射累積時間データ１００が示す値に記録媒体に書き込まれたデータが読み取り不能な状態とされるため、光ディスクドライブ２０の経年劣化を反映した上でコンペア処理の結果に対応して適切に記録ディスクＤのデータを読み取り不能な状態とすることができる。
【００４５】
また、本実施形態では、ホスト側制御部８０は、コンペア処理の結果が異常の場合であって、レーザー光照射累積時間データ１００が示す値が閾値を上回る場合、ユーザーから事前に指示されたことを前提として記録ディスクＤに書き込まれたデータを読み取り不能な状態とする。
これによれば、光ディスクドライブ２０によりデータの読み書きが行われた時間が閾値を上回った場合に記録ディスクＤに書き込まれたデータが読み取り不能な状態とされることとなり、光ディスクドライブ２０が実際に使用された時間に基づく経年劣化を適切に反映した上でコンペア処理の結果に対応して適切に記録ディスクＤのデータを読み取り不能な状態とすることができる。
【００４６】
また、本実施形態では、データの書き込みが終了した記録ディスクＤを収納するスタッカーが、第１スタッカー４１、第２スタッカー４２及び第３スタッカー５０の３つ存在しており、データの書き込みが終了した記録ディスクＤをいずれかのスタッカーに搬送する搬送装置６０が設けられている。そして、ホスト側制御部８０は、コンペア処理の結果、及び、レーザー光照射累積時間データ１００が示す値に基づいて、データの書き込みが終了した記録ディスクＤを搬送すべきスタッカーを切り替える。
これによれば、コンペア処理の結果、及び、レーザー光照射累積時間データ１００が示す値に応じて、記録ディスクＤが収納されるスタッカーを切り替えることができ、光ディスクドライブ２０の経年劣化を反映した記録ディスクＤの適切な管理が可能となる。
【００４７】
なお、上述した実施の形態は、あくまでも本発明の一態様を示すものであり、本発明の範囲内で任意に変形および応用が可能である。
例えば、上述した実施形態では、レーザー光が照射された累積時間が、「光ディスクドライブ２０（記録媒体駆動部）によってデータの読み書きを行った時間」に該当していた。しかしながら、「光ディスクドライブ２０（記録媒体駆動部）によってデータの読み書きを行った時間」は、レーザー光が照射された累積時間に限らず、例えば、光ディスクドライブ２０が記録ディスクＤへのデータの記録に費やした時間の累計等、光ディスクドライブ２０の経年劣化を推測するのに有効な値であればよい。
また、図５及び図６のフローチャートに係る動作は、ホストコンピューター２がディスク発行装置１を制御して行われていたが、これら動作をディスク発行装置１が単体で行えるような構成としてもよい。この場合、ディスク発行装置１が制御装置として機能する。
【符号の説明】
【００４８】
１…ディスク発行装置（記録馬体処理装置、制御装置）、２…ホストコンピューター（制御装置）、２０…光ディスクドライブ（記録媒体駆動部）、３０…記録装置（記録部）、４１…第１スタッカー（収納部）、４２…第２スタッカー（収納部）、５０…第３スタッカー（収納部）、５７…増設スタッカー（収納部）、８０…ホスト側制御部（使用時間記憶部、記録装置制御部、収納切替部）、１０１…コンペア処理実行部。
【図１】
2011154749.tif 000003
【図２】
2011154749.tif 000004
【図３】
2011154749.tif 000005
【図４】
2011154749.tif 000006
【図５】
2011154749.tif 000007
【図６】
2011154749.tif 000008